(57)【特許請求の範囲】
【請求項１】
ドアの所望箇所に撮像手段を設けるとともに該ドアの把手に投影手段と表示部を設け、前記撮像手段により取得した映像を前記投影手段により、前記把手の外側から表示部により視認できるように表示するようにし、
前記投影手段はプロジェクターとし、前記表示部は前記把手の外表面の少なくとも一部は表面を鏡面とし内面を拡散面とした透明体によるスクリーンとし、前記プロジェクターより投影された像が前記スクリーンに表示されるようにしたことを特徴とする表示装置付きドアの把手。
【請求項２】
前記スクリーンを曲面形状としたことを特徴とする請求項１に記載の表示装置付きドアの把手。
【請求項３】
ドアの所望箇所に撮像手段を設けるとともに該ドアの把手に投影手段と表示部を設け、前記撮像手段により取得した映像を前記投影手段により、前記把手の外側から表示部により視認できるように表示するようにし、
前記投影手段は液晶表示パネルとし、前記表示部は前記把手の外表面の少なくとも一部を拡大レンズとし、前記液晶表示パネルの表示が前記拡大レンズを通して前記把手の外側から視認できるようにしたことを特徴とする表示装置付きドアの把手。
【請求項４】
前記撮像手段により取得される像は、それと反対側の前記ドア面に位置する前記把手に前記投影手段により表示されるようにしたことを特徴とする請求項１〜３のいずれかに記載の表示装置付きドアの把手。
【請求項５】
前記ドアの両面にそれぞれ前記撮像手段が設けられるとともに、前記ドアの両側の前記把手にそれぞれ反対側に位置する前記撮像手段により取得された像が表示されるようにしたことを特徴とする請求項４に記載の表示装置付きドアの把手。
【請求項６】
ドアの所望箇所に撮像手段を設けるとともに該ドアの把手に投影手段と表示部を設け、前記撮像手段により取得した映像を前記投影手段により、前記把手の外側から表示部により視認できるように表示するようにし、
前記撮像手段により取得される像は、それと反対側の前記ドア面に位置する前記把手に前記投影手段により表示されるようにして、
前記ドアの両面にそれぞれ前記撮像手段が設けられるとともに、前記ドアの両側の前記把手にそれぞれ反対側に位置する前記撮像手段により取得された像が表示されるようにしたことを特徴とする表示装置付きドアの把手。
【発明の詳細な説明】
【技術分野】
【０００１】
本発明は、ドアノブやレバーハンドルなどいわゆるドアの把手に表示部を設け、そこに撮像手段から取得した像を表示し、それを外部から観察できるようにした表示装置付きドアの把手に関するものである。
【背景技術】
【０００２】
ドアノブやレバーハンドルなどの一部を透明体で形成し、内部に光源を設けドアノブが光るようにしたドアの把手としては、例えば特許文献１や非特許文献１に示すようなものがある。
【先行技術文献】
【特許文献】
【０００３】
【特許文献１】特開平０４−１３１４８１号公報
【非特許文献】
【０００４】
【非特許文献１】Brighthandle glows green to indicate unlockendeness  http://www.engadget.com/2005/05/16/brighthandle-glows-green-to-indicate-unlockedness/
【発明の概要】
【発明が解決しようとする課題】
【０００５】
しかし、上記特許文献１及び非特許文献１に示すものはいずれも、光源により透明体が光るだけであり、ドアの把手を視認することにより具体的な情報を得られるわけではない。単に、光の色の変化だけではなく画像が表示されれば具体的な情報を得ることができて便利である。
【０００６】
ところで、ドアの把手を情報の表示装置として利用できると、把手を表示装置付きのものに交換するだけでドア自体に特別な工事を行う必要がなく、また外観上も格別の変化を生じないので目立たせないで画像表示装置を設置できる。そして、例えばドアの外部で取得した画像をドアの内側の把手に表示できれば防犯上など非常に有用である。
【０００７】
本発明は、上記課題に鑑みてなされたものであり、ドアの把手に反対側のドア面で取得した画像を表示するようにした画像表示装置付きドアの把手を提供することを目的としている。
【課題を解決するための手段】
【０００８】
上記の目的を達成するために、本発明による表示装置付きドアの把手は、ドアの所望箇所に撮像手段を設けるとともに該ドアの把手に投影手段と表示部を設け、前記撮像手段により取得した映像を前記投影手段により、前記把手の外側から表示部により視認できるように表示するようにし、前記投影手段はプロジェクターとし、前記表示部は前記把手の外表面の少なくとも一部は表面を鏡面とし内面を拡散面とした透明体によるスクリーンとし、前記プロジェクターより投影された像が前記スクリーンに表示されるようにしたことを特徴としている。
【０００９】
また、本発明の表示装置付きドアの把手においては、前記スクリーンを曲面形状とする
ことが好ましい。
【００１０】
あるいは、本発明による表示装置付きドアの把手は、ドアの所望箇所に撮像手段を設けるとともに該ドアの把手に投影手段と表示部を設け、前記撮像手段により取得した映像を前記投影手段により、前記把手の外側から表示部により視認できるように表示するようにし、前記投影手段は液晶表示パネルとし、前記表示部は前記把手の外表面の少なくとも一部を拡大レンズとし、前記液晶表示パネルの表示が前記拡大レンズを通して前記把手の外側から視認できるようにしたことを特徴としている。
【００１１】
また、本発明の表示装置付きドアの把手においては、前記撮像手段により取得される像は、それと反対側の前記ドア面に位置する前記把手に前記投影手段により表示されるようにすることが好ましい。
【００１２】
さらに、本発明の表示装置付きドアの把手においては、前記ドアの両面にそれぞれ前記撮像手段が設けられるとともに、前記ドアの両側の前記把手にそれぞれ反対側に位置する前記撮像手段により取得された像が表示されるようにすることが好ましい。
【００１３】
あるいは、本発明による表示装置付きドアの把手は、ドアの所望箇所に撮像手段を設けるとともに該ドアの把手に投影手段と表示部を設け、前記撮像手段により取得した映像を前記投影手段により、前記把手の外側から表示部により視認できるように表示するようにし、前記撮像手段により取得される像は、それと反対側の前記ドア面に位置する前記把手に前記投影手段により表示されるようにして、前記ドアの両面にそれぞれ前記撮像手段が設けられるとともに、前記ドアの両側の前記把手にそれぞれ反対側に位置する前記撮像手段により取得された像が表示されるようにしたことを特徴としている。
【００１４】
なお、本発明においてドアとは、引き戸、開き戸、折り戸、折り畳み戸などの各種扉を含むものである。また、把手とは、レバーハンドル、ノブ、ドアハンドル、押し板、つまみなどドアノブに限らずドアの開閉のために手で把持するために設けられる部材を意味し、それ自体が動いたり回転したりするものと動かないもののどちらでもよい。また、把手の形状についてもドアの把手として機能するものであればどのような形状でもよい。
【発明の効果】
【００１５】
本発明の表示装置付きドアの把手によれば、把手の表面にカメラなどの撮像手段により取得した画像が表示されるので、具体的な情報を視認することができ、また既存の把手と交換するだけでよいので設置工事も簡単に行うことができるという効果を有する。
【図面の簡単な説明】
【００１６】
【図１】本発明の表示装置付きドアの把手の一実施例を示す説明図である。
【図２】本発明の表示装置付きドアの把手の他例を示す説明図である。
【実施例１】
【００１７】
次に、本発明の表示装置付きドアの把手の一実施例を図１に基づいて説明する。
ドア１の両側には把手２が設けられている。把手２は通常のドアノブのように開閉機構を有していても良く、あるいは有していなくてもどちらでもよい。把手２は略半球形状をしており、表面にスクリーン３が設けられているとともにスクリーン３へ映像を投影するための投影手段となるプロジェクター４が設けられている。プロジェクター４としては、例えば走査型のレーザープロジェクターが使用可能である。また、ＬＥＤプロジェクターでもよい。
【００１８】
スクリーン３は肉厚約５ｍｍの透明体で形成されており、表面は鏡面（つるつる面）であり、内面は拡散面となっている。スクリーン３は透明体であればその材質に限定はないが、例えば合成樹脂やガラスが使用可能である。
【００１９】
ドア１の把手２の近傍には撮影手段となるＣＣＤ／Ｃ−ＭＯＳカメラ５が設けられていて、ドア１の外部の映像を取得可能となっている。そして、カメラ５はそれぞれドア１の反対側の面に位置する把手２のプロジェクター４と接続されている。なお、カメラ５の取り付け位置は把手２の近傍に限るものではなく取得したい映像により適宜設置位置は選択可能である。
【００２０】
このように構成されているので、カメラ５で撮像された映像はプロジェクター４より画像がスクリーン３に投影される。スクリーン３は内面が拡散面となっており表面は鏡面となっているので、プロジェクター４から投影された画像が外側から視認できるようにスクリーン３に表示されることになる。見える画像は真正面が最も良く見えるが、見える画像は視点により変化はしない。
【実施例２】
【００２１】
ドア１の両側には把手２が設けられている。把手２は通常のドアノブのように開閉機構を有していても良く、あるいは有していなくてもどちらでもよい。把手２は略半球形状をしており、表面に拡大レンズ６が設けられているとともに投影手段となる液晶表示パネル７が設けられている。拡大レンズ６は液晶表示パネル７の表示を拡大して見るためのものであり、その大きさや倍率は適宜選択可能である。
【００２２】
ドア１の把手２の近傍には撮影手段となるＣＣＤ／Ｃ−ＭＯＳカメラ５が設けられていて、ドア１の外部の映像を取得可能となっている。そして、カメラ５はそれぞれドア１の反対側の面に位置する把手２の液晶表示パネル７と接続されている。なお、カメラ５の取り付け位置は把手２の近傍に限るものではなく取得したい映像により適宜設置位置は選択可能である。
【００２３】
このように構成されているので、カメラ５で撮像された映像は液晶表示パネル７に表示される。そして液晶表示パネル７に表示された画像は拡大レンズ６を通して把手２の外から拡大した映像を見ることができる。見える画像は真正面が最も良く見え、斜め方向からの観察時は実施例１と異なり画像が若干歪むこともある。
【産業上の利用可能性】
【００２４】
本発明の適用範囲は上記実施例に限定されるものではなく、把手の形状に制限はなく、またドアの種類や設置場所についても、単に防犯上に限られるものではなく、屋内，屋外を問わず各種ドアに使用可能である。
【符号の説明】
【００２５】
１    ドア
２    把手
３    スクリーン
４    プロジェクター
５    カメラ
６    拡大レンズ
７    液晶表示パネル
【図１】
0005616121.tif 000002
【図２】
0005616121.tif 000003